(57)【要約】【課題】基地局と移動局が無線区間において新規に通信を開始した瞬間において、適切にデータの送出量を制御するデータ流入量制御装置及びデータ流入量制御方法を提供する。【解決手段】移動通信システムは、複数の移動局と、複数の移動局宛てのパケットを中継する制御局と、制御局から送出されたパケットを一時的にバッファに格納して複数の移動局に送出する基地局とから構成される。制御局は、新規に通信を開始する移動局に関する、制御局から基地局へのデータの送出量の初期値を、前記基地局がカバーするエリアにおいて、すでに通信を行っている移動局の数に基づいて決定するサブレイヤ処理部302を備える。【選択図】図６
2008078788.tif 000002
【特許請求の範囲】
【請求項１】
複数の移動局と、前記複数の移動局宛てのパケットを中継する制御局と、前記制御局から送出された前記パケットを一時的にバッファに格納して前記複数の移動局に送出する基地局とから構成される移動通信システムに配置されるデータ流入量制御装置であって、
新規に通信を開始する移動局に関する、前記制御局から前記基地局へのデータの送出量の初期値を、前記基地局がカバーするエリアにおいて、すでに通信を行っている移動局の数に基づいて決定する決定部を備えることを特徴とするデータ流入量制御装置。
【請求項２】
前記決定部は、前記移動局の数と、前記新規に通信を開始する移動局が受信可能な最大の伝送速度とに基づいて決定することを特徴とする請求項１に記載のデータ流入量制御装置。
【請求項３】
前記決定部は、前記移動局の数と、前記最大の伝送速度と、所定の係数とに基づいて決定することを特徴とする請求項２に記載のデータ流入量制御装置。
【請求項４】
前記決定部は、前記データの送出量の初期値をInitial_CAとし、前記移動局の数をNumberとし、前記最大の伝送速度をMAX_rateとし、前記所定の係数をAとした場合に、
前記データの送出量の初期値Initial_CAを、
Initial_CA＝A×MAX_rate/Number
を用いて決定することを特徴とする請求項３に記載のデータ流入量制御装置。
【請求項５】
複数の移動局と、前記複数の移動局宛てのパケットを中継する制御局と、前記制御局から送出された前記パケットを一時的にバッファに格納して前記複数の移動局に送出する基地局とから構成される移動通信システムに配置されるデータ流入量制御装置であって、
前記基地局と前記複数の移動局とが、共有チャネルを用いて通信を行っている場合に、
新規に通信を開始する移動局に関する、前記制御局から前記基地局へのデータの送出量の初期値を、前記基地局がカバーするエリアにおいて、すでに通信を行っている移動局に関する、前記共有チャネルの割当頻度に基づいて決定する決定部を備えることを特徴とするデータ流入量制御装置。
【請求項６】
前記決定部は、前記共有チャネルの割当頻度と、前記新規に通信を開始する移動局が受信可能な最大の伝送速度とに基づいて決定することを特徴とする請求項５に記載のデータ流入量制御装置。
【請求項７】
前記決定部は、前記データの送出量の初期値をInitial_CAとし、前記共有チャネルの割当頻度の平均値をFreqとし、前記最大の伝送速度をMAX_rateとし、所定の係数をAとした場合に、
前記データの送出量の初期値Initial_CAを、
Initial_CA＝A×MAX_rate×Freq
を用いて決定することを特徴とする請求項６に記載のデータ流入量制御装置。
【請求項８】
前記新規に通信を開始する移動局は、セルチェンジにより当該セルにおいて新規に通信を開始する移動局であることを特徴とする請求項１〜７のいずれか１項に記載のデータ流入量制御装置。
【請求項９】
前記移動通信システムは、下りリンクにおいて、HSDPAを適用していることを特徴とする請求項１〜８のいずれか１項に記載のデータ流入量制御装置。
【請求項１０】
複数の移動局と、前記複数の移動局宛てのパケットを中継する制御局と、前記制御局から送出された前記パケットを一時的にバッファに格納して前記複数の移動局に送出する基地局とから構成される移動通信システムにおけるデータ流入量制御方法であって、
新規に通信を開始する移動局に関する、前記制御局から前記基地局へのデータの送出量の初期値を、前記基地局がカバーするエリアにおいて、すでに通信を行っている移動局の数に基づいて決定するステップを含むことを特徴とするデータ流入量制御方法。
【発明の詳細な説明】
【技術分野】
【０００１】
本発明は、データ流入量制御装置及びデータ流入量制御方法に関する。
【背景技術】
【０００２】
現在、普及している携帯電話のような移動通信システムでは、サービスエリア全体をセルと呼ばれる無線ゾーンに分割してサービスを行っている。このようなシステムは図１で示すように、セルをカバーする複数の基地局と、これらとの間に無線チャネルを設定して通信を行う移動局と、複数の上記基地局と上記移動局を管理する制御局によって構成されている。また、制御局は交換装置等を含む幹線網と接続されている。
【０００３】
このような構成においては、幹線網と移動局の通信における信号伝送は、制御局と基地局を経由して行われる。よって、幹線網・制御局と基地局間の有線区間と、基地局と移動局間の無線区間の中継を行う基地局は、幹線網・制御局から送られてくる信号を一時的にバッファリングする機能を有している。このバッファリング機能は、有線区間の伝送速度が、無線区間の伝送速度に比べて大きい場合に、有線区間からの信号をバッファリングすることを目的としている。
【０００４】
一方、HSDPA（High Speed Downlink Packet Access）や1x EV-DOなどの高速で大容量の下り高速パケット通信が標準化されており、また開発されている（例えば、非特許文献1および2参照）。このような高速パケット通信方式の主な特徴として、データ伝送を行っている移動局の無線状況に応じて、パケットの送信フォーマット、具体的には、パケットのデータサイズ、変調方式、コード数、符号化率等を適応的に変更する適応変調・符号化方式が用いられている点がある。この適応変調・符号化方式では、移動局の無線状況に応じて、時間的に無線伝送速度が変動することになる。例えば、HSDPAでは、移動局と無線基地局との間の無線状態に応じて、パケットのデータサイズや変調方式、コード数を制御することにより、適応変調・符号化方式を行っている。
【０００５】
ところで、上記構成のような移動通信システムの場合、無線区間の伝送速度に比べ有線区間の伝送速度が大きい場合は、中継する基地局の一時的なバッファにデータが溜まる傾向となり、無線区間の伝送速度に比べ有線区間の伝送速度が小さい場合は、中継する基地局の一時的なバッファにおいてデータが枯渇する傾向となる。中継する基地局の一時的なバッファは有限であり、バッファを溢れたデータは破棄されること、また、中継する基地局のバッファが枯渇することにより無線リソースを使い切ることが出来ないことから、無線区間の伝送速度と有線区間の伝送速度に差がある場合は、バッファオーバーフローによる信号破棄に起因する伝送効率の劣化、あるいは、バッファの枯渇による無線リソースの利用効率の低下が生じる。これら２つの問題を回避するには無線区間の伝送速度と有線区間の伝送速度をできる限り、合わせる制御が必要となる。
【０００６】
上述したような無線区間の伝送速度と有線区間の伝送速度を合わせる制御を行うために、例えば、HSDPAにおいては、Capacity AllocationあるいはHS-DSCH CAPACITY ALLOCATION (HS-DSCH CAPACITY ALLOCATION Control Frame)という制御情報が規定されている（非特許文献3）。
【０００７】
また、上記制御情報を用いて、具体的に、幹線網と移動局の通信における基地局での信号破棄の抑制の観点から、基地局でのバッファに滞留しているデータ量に基づいて、制御局から基地局へのデータ流入量制御を行う方法がすでに提案されており（特許文献１及び特許文献２参照、）、また高速パケット通信方法のような無線区間の伝送速度が大きく変動するような通信システムにおいても、バッファ枯渇による無線リソースの使用効率の劣化、及び、バッファ溢れによる信号破棄に起因する再送制御等の発生によるシステムの伝送効率の劣化を防ぐ方法が提案されている（特許文献３参照。）。この方式を用いることでバッファ滞留量をもって基地局へのデータ流入量を制限でき、基地局でのバッファのオーバーフローを回避することができる。
【０００８】
しかしながら、上記従来技術は、基地局と移動局が無線区間において通信を行っている状態でのデータ流入量制御に関する技術であり、基地局と移動局が無線区間において新規に通信を開始した瞬間のデータ流入量制御に関しては言及されていない。すなわち、上記従来技術では、基地局でのバッファに滞留しているデータ量や、基地局と移動局との間の無線区間における無線品質に基づいて、データ流入量制御を行うが、基地局と移動局が無線区間において新規に通信を開始した瞬間は、上記基地局でのバッファに滞留しているデータ量や、基地局と移動局との間の無線区間における無線品質といった情報が存在しないため、上記従来技術を適用することができないという問題が存在する。
【０００９】
尚，上記「新規に通信を開始する」とは，言葉の通り「新規に通信を開始する」場合だけでなく，上記移動局が，セルチェンジ等により，当該セルにおいて当該基地局と新規に通信を開始する場合も含むと考えられる．
例えば、基地局と移動局が無線区間において新規に通信を開始した瞬間のデータ流入量制御方法として、初期の有線区間の伝送速度を、上記移動局がCapability上受信可能な最大受信レートとするという方法が考えられるが、上記方法は、上記基地局とすでに通信を行っている移動局が多数存在する場合、すなわち、無線区間で輻輳している場合には、基地局のバッファ内に過剰にデータが滞留することになり、バッファ溢れによる信号破棄が発生する可能性が存在し、問題となる。ここで、上記移動局がCapability上受信可能な最大受信レートは、例えば、非特許文献4のTable 5.1a: FDD HS-DSCH physical layer categoriesから算出可能である。
【００１０】
尚、上述したHSDPAにおいては、基地局と移動局が無線区間において新規に通信を開始した瞬間のデータ流入量制御のためのシグナリングとしてHS-DSCH Initial Capacity Allocationが定義されている（非特許文献5）。上記HS-DSCH Initial Capacity Allocationは、基地局と移動局が無線区間において新規に通信を開始する瞬間に、基地局が制御局に通知するシグナリングであり、その情報要素として、Scheduling Priority Indicator、 Maximum MAC-d PDU Size、 HS-DSCH Initial Window Sizeを含む。一般に、制御局において、上記Maximum MAC-d PDU SizeとHS-DSCH Initial Window Sizeから、制御局から基地局へのデータ送出量が決定される。
【非特許文献１】3GPP TR25.848 v4.0.0
【非特許文献２】3GPP2 C. S0024 Rev.1.0.0
【非特許文献３】3GPP TS25.435 v6.3.0
【非特許文献４】3GPP TS25.306 v6.8.0
【非特許文献５】3GPP TS25.433 v6.9.0
【特許文献１】特願2000-264390
【特許文献２】特開2002-077987
【特許文献３】特願2003-205404
【発明の開示】
【発明が解決しようとする課題】
【００１１】
上述の通り、従来の制御局から基地局へのデータ流入量制御方法では、基地局と移動局が無線区間において新規に通信を開始した瞬間においては、データ流入量の制御を行うことができないという問題があった。
【００１２】
そこで、本発明は、上記の課題に鑑み、基地局と移動局が無線区間において新規に通信を開始した瞬間において、適切にデータの送出量を制御するデータ流入量制御装置及びデータ流入量制御方法を提供することを目的とする。
【課題を解決するための手段】
【００１３】
上記目的を達成するため、本発明の第１の特徴は、複数の移動局と、複数の移動局宛てのパケットを中継する制御局と、制御局から送出されたパケットを一時的にバッファに格納して複数の移動局に送出する基地局とから構成される移動通信システムに配置されるデータ流入量制御装置であって、新規に通信を開始する移動局に関する、制御局から基地局へのデータの送出量の初期値を、前記基地局がカバーするエリアにおいて、すでに通信を行っている移動局の数に基づいて決定する決定部を備えるデータ流入量制御装置であることを要旨とする。
【００１４】
第１の特徴に係るデータ流入量制御装置によると、基地局と移動局が無線区間において新規に通信を開始した瞬間において、適切にデータの送出量を制御することができる。
【００１５】
また、第１の特徴に係るデータ流入量制御装置の決定部は、移動局の数と、新規に通信を開始する移動局がCapability上受信可能な最大の伝送速度とに基づいて決定してもよい。
【００１６】
また、第１の特徴に係るデータ流入量制御装置の決定部は、データの送出量の初期値をInitial_CAとし、移動局の数をNumberとし、最大の伝送速度をMAX_rateとし、所定の係数をAとした場合に、データの送出量の初期値Initial_CAを、
Initial_CA＝A×MAX_rate／Number
を用いて決定してもよい。
【００１７】
また、第１の特徴に係るデータ流入量制御装置が配置される移動通信システムは、下りリンクにおいて、HSDPAを適用していてもよい。
【００１８】
本発明の第２の特徴は、複数の移動局と、複数の移動局宛てのパケットを中継する制御局と、制御局から送出されたパケットを一時的にバッファに格納して複数の移動局に送出する基地局とから構成される移動通信システムに配置されるデータ流入量制御装置であって、基地局と複数の移動局とが、共有チャネルを用いて通信を行っている場合に、新規に通信を開始する移動局に関する、制御局から基地局へのデータの送出量の初期値を、前記基地局がカバーするエリアにおいて、すでに通信を行っている移動局に関する、共有チャネルの割当頻度に基づいて決定する決定部を備えるデータ流入量制御装置であることを要旨とする。
【００１９】
第２の特徴に係るデータ流入量制御装置によると、基地局と移動局が無線区間において新規に通信を開始した瞬間において、適切にデータの送出量を制御することができる。
【００２０】
また、第２の特徴に係るデータ流入量制御装置の決定部は、共有チャネルの割当頻度と、新規に通信を開始する移動局がCapability上受信可能な最大の伝送速度とに基づいて決定してもよい。
【００２１】
また、第２の特徴に係るデータ流入量制御装置の決定部は、共有チャネルの割当頻度と、最大の伝送速度と、所定の係数とに基づいて決定してもよい。
【００２２】
また、第２の特徴に係るデータ流入量制御装置の決定部は、データの送出量の初期値をInitial_CAとし、共有チャネルの割当頻度の平均値をFreqとし、最大の伝送速度をMAX_rateとし、所定の係数をAとした場合に、データの送出量の初期値Initial_CAを、
Initial_CA＝A×MAX_rate×Freq
を用いて決定してもよい。
【００２３】
また、第１及び第２の特徴に係るデータ流入量制御装置の新規に通信を開始する移動局は、セルチェンジにより当該セルにおいて新規に通信を開始する移動局であってもよい。
【００２４】
本発明の第３の特徴は、複数の移動局と、複数の移動局宛てのパケットを中継する制御局と、制御局から送出されたパケットを一時的にバッファに格納して複数の移動局に送出する基地局とから構成される移動通信システムにおけるデータ流入量制御方法であって、新規に通信を開始する移動局に関する、制御局から基地局へのデータの送出量の初期値を、上記基地局がカバーするエリアにおいて、すでに通信を行っている移動局の数に基づいて決定するステップを含むデータ流入量制御方法であることを要旨とする。
【００２５】
第３の特徴に係るデータ流入量制御方法によると、基地局と移動局が無線区間において新規に通信を開始した瞬間において、適切にデータの送出量を制御することができる。
【発明の効果】
【００２６】
本発明によると、基地局と移動局が無線区間において新規に通信を開始した瞬間において、適切にデータの送出量を制御するデータ流入量制御装置及びデータ流入量制御方法を提供することができる。
【発明を実施するための最良の形態】
【００２７】
次に、図面を参照して、本発明の実施の形態を説明する。以下の図面の記載において、同一又は類似の部分には、同一又は類似の符号を付している。ただし、図面は模式的なものであることに留意すべきである。
【００２８】
（移動通信システムの構成）
以下、図面を参照しながら、3GPPにおけるHSDPA方式を適用している移動通信システムに、本発明を適用した場合の実施形態を詳細に説明する。
【００２９】
図1に、3GPPにおけるHSDPA方式を適用した移動通信システムの構成を示す。移動通信システムにおいては、交換装置を含む幹線網40と制御局30、31、基地局20、21、22、23、24 が階梯をなして構成している。移動局10、11、12、…は基地局20、21と無線回線経由で通信を行う。制御局30は、基地局20、21、22と移動局10、11を統括する制御装置であり、制御局31は、基地局23、24と移動局12を統括する制御装置である。尚、本図に示す移動通信システムの構成は一例であり、制御局、基地局、移動局の数や接続形態は、これに限定されるものではない。
【００３０】
尚、本発明を適用した場合の実施形態は、幹線網と、1つの制御局と、上記制御局に統括される1つの基地局と、上記基地局と、無線回線経由で通信を行っている複数の移動局と、上記基地局と、新規に通信を開始する1つの移動局とを用いて説明することができるため、図2に、図1における移動通信システムの簡易化した構成例を示す。
【００３１】
以下の説明で、基地局20がカバーするエリア（以下、セル50と呼ぶ）において、すでに通信を行っている移動局のIndexを、n（0、1、2、3、…）とする。移動局n (0、1、2、3、…)は、無線回線経由で基地局20と通信を行っている。また、上記移動通信システムにおいて、新規に通信を開始する移動局のIndexをAとし、以下の説明では、通信を開始する移動局に関する、データ流入量制御方法、及び、データ流入量制御装置の一例を、移動局Aを用いて説明する。移動局Aは、無線回線経由で基地局20と通信を開始する。
【００３２】
尚、図2においては、基地局20がカバーするエリアは1つであるが、上記基地局20がカバーするエリアが複数のエリアに分割されていてもよい（上記分割をセクタ化と呼ぶ）。この場合、例えば、3つのエリア（すなわち、セル50、セル51、セル52）に分割したとすると、上記セル50、セル51、セル52のそれぞれに関して、本発明に係る処理を行うこととなる。
【００３３】
ここで、基地局における移動局nに関するプライオリティキューに関しても、同様のIndexを用いる。すなわち、基地局における移動局nに関するプライオリティキューを、プライオリティキューnと記載する。これは、各移動局に関して1つのプライオリティキューが存在する場合を想定している。尚、以下に示す説明では、各移動局に関して1つのプライオリティキューが存在する場合を想定しているが、各移動局に関して複数のプライオリティキューが存在してもよい。その場合には、例えば、移動局nに関するプライオリティキューnをプライオリティキューn、kと記載してもよい（kはプライオリティキューのIndexである）。
【００３４】
尚、プライオリティキューとは、基地局において上記移動局nに関するパケットデータのバッファリングを行うためのデータキューのことである。
【００３５】
図3に、図1、2に示す移動通信システムにおけるプロトコルスタックを示す。プロトコルスタック101は、移動局のプロトコルスタックを示し、基地局と対向する物理レイヤ、MAC-hsレイヤと、制御局と対向するMAC-dレイヤ、データリンクレイヤとから構成される。プロトコルスタック102は、基地局のプロトコルスタックを示し、移動局と対向する物理レイヤ、MAC-hsレイヤと、制御局と対向する物理レイヤとサブレイヤとから構成される。プロトコルスタック103は、制御局のプロトコルスタックを示し、基地局と対向する物理レイヤとサブレイヤと、移動局と対向するMAC-dレイヤ、データリンクレイヤとから構成される。また、プロトコルスタック103には、幹線網側と対向するレイヤも存在する。
【００３６】
図4に、図1に示す基地局20, 21，22，23，24の構成例を示す機能ブロック図を示す。移動局に関しては、上述したようにIndexとして、0, 1, 2, …, nを用いる。
【００３７】
図4に示すように、基地局は、有線物理レイヤ処理部201と、サブレイヤ処理部202と、無線物理レイヤ処理部203とを備えている。尚、図4においては、本発明に係るデータ流入量制御方法に係る部分のみを記載している。
【００３８】
有線物理レイヤ処理部201は、制御局と、サブレイヤ処理部202と、無線物理レイヤ処理部203とに接続され、下りリンクのパケットデータを制御局から受け取り、無線物理レイヤ処理部203に送信する。
【００３９】
サブレイヤ処理部202は、有線物理レイヤ処理部201と、無線物理レイヤ処理部203とに接続される。サブレイヤ処理部202は、制御局と制御情報に関する通信を行う。一般に、サブレイヤ処理部202は、セル50において通信を行っている各移動局0、 1、 2、 …、 nのプライオリティキューに関する、制御局から基地局へ送出されるパケットデータの送出量を制御する送出量制御情報を作成し、上記送出量制御情報を、有線物理レイヤ処理部201を介して、制御局に通知する。ここで、上記送出量制御情報とは、HSDPA方式においては、Capacity AllocationあるいはHS-DSCH CAPACITY ALLOCATION (HS-DSCH CAPACITY ALLOCATION Control Frame)と呼ばれる。尚、上記Capacity AllocationあるいはHS-DSCH CAPACITY ALLOCATION (HS-DSCH CAPACITY ALLOCATION Control Frame)は、Common Transport Channel data streamsのためのUTRAN Iub Interface User Plane Protocols上で処理される。また、本実施形態においては、サブレイヤ処理部202は、後述する新規データ送出量制御情報算出部2034より、新規に通信を開始する移動局Aに関する、制御局から基地局へ送出されるパケットデータの送出量の初期値を決定する新規送出量制御情報を受け取り、上記新規送出量制御情報を、制御局に通知する。ここで、上記新規送出量制御情報は、HSDPA方式においては、HS-DSCH Initial Capacity Allocationのことである。上記HS-DSCH Initial Capacity Allocationは、NBAP (Node B Application Part) signallingを用いて通知される。
【００４０】
無線物理レイヤ処理部203は、サブレイヤ処理部202と、有線物理レイヤ処理部201とに接続される。そして、有線物理レイヤ処理部201から受け取った下りリンクのパケットデータをバッファリングするバッファリング処理や、当該TTIにおいて共有チャネル（HS-PDSCH）を割り当てる移動局の選択を行うスケジューリング処理、上記移動局に対する共有チャネル（物理チャネルとしてはHS-PDSCH）の送信処理を行う。ここで、上記共有チャネルの送信処理とは、例えば、チャネル符号化や拡散処理、無線周波数帯に変換する周波数変換処理や増幅処理等のことである。なお、上記の説明では、本発明に係る下りリンクにおける処理のみを記載したが、無線物理レイヤ処理部203は、上りリンクにおける復調・復号処理等の処理も行う。
【００４１】
また、無線物理レイヤ処理部203は、制御局から基地局へ送出されるパケットデータの送出量を制御する送出量制御情報を算出するためのデータ送出量制御情報算出処理を行う。さらに、無線物理レイヤ処理部203は、新規に通信を開始する移動局Aに関する、制御局から基地局へ送出されるパケットデータの送出量の初期値を決定する新規送出量制御情報を作成し、上記新規送出量制御情報を、サブレイヤ処理部202に通知する。
【００４２】
以下に、無線物理レイヤ処理部203の構成を詳細に説明する。
【００４３】
図5に無線物理レイヤ処理部203の構成を示す。無線物理レイヤ処理部203は、同図に示すように、バッファ部2031と、MAC-hsレイヤ処理部2032と、レイヤ1処理部2033と、新規データ送出量制御情報算出部2034とを備えている。尚、上記構成は、本発明に係る部分のみを抽出したものであり、本発明と関係のない部分は省略している。
【００４４】
バッファ部2031 は、有線物理レイヤ処理部201と、MAC-hsレイヤ処理部2032とに接続される。
【００４５】
バッファ部2031は、有線物理レイヤ処理部201から受け取った、制御局から基地局に送出されたパケットデータを一時的に格納するバッファリングを行う。具体的には、各移動局nに関するプライオリティキューnごとにパケットデータのバッファリングを行う。尚、移動局nに関して複数のプライオリティキューn、kが存在する場合には、上記移動局nに関する複数のプライオリティキューn、kごとにパケットデータのバッファリングが行われる。
【００４６】
そして、バッファ部2031は、MAC-hsレイヤ処理部2032から、当該TTIにおいて共有チャネル（HS-PDSCH）を割り当てられる移動局とそのプライオリティキュー、及び、上記共有チャネルのデータサイズに関する情報を取得し、当該TTIにおいて送信される、上記プライオリティキュー内のパケットデータ、すなわち、上記共有チャネルのデータサイズに相当する上記プライオリティキュー内のパケットデータを、MAC-hsレイヤ処理部2032に送信する。
【００４７】
MAC-hsレイヤ処理部2032は、レイヤ1処理部2033と、バッファ部2031と、新規データ送出量制御情報算出部2034とに接続される。
【００４８】
MAC-hsレイヤ処理部2032は、当該TTIにおいて共有チャネル（HS-PDSCH）を割り当てられる移動局とそのプライオリティキューを選定するスケジューリング処理を行う。すなわち、全てのプライオリティキューの中から、当該TTIにおいてパケットデータの送信を行うプライオリティキューを選択する。この場合、基地局は、当該TTIにおいて、上記選定されたプライオリティキューに対応する移動局に対して、共有チャネル（HSDPAの場合には、HS-PDSCH）を送信する。尚、上記スケジューリング処理のアルゴリズムとして、例えば、Round robinやProportional Fairness、MAX C／Iなどが存在する。
【００４９】
次に、MAC-hsレイヤ処理部2032は、レイヤ1処理部2033から下りリンクの無線品質情報を受け取り、上記当該TTIにおいて共有チャネルを割り当てると選定されたプライオリティキューに対応する移動局の無線品質情報と、当該TTIにおいて利用可能な無線リソースとに基づいて、上記当該TTIにおける共有チャネルの送信フォーマットを決定する。
【００５０】
そして、MAC-hsレイヤ処理部2032は、上記当該TTIにおいて共有チャネルを割り当てると選定された移動局とそのプライオリティキューと、上記共有チャネルの送信フォーマットの内のデータサイズに関する情報をバッファ部2031に通知する。ここで、上記無線品質情報は、HSDPAにおいてはChannel quality indicator (CQI)のことを指す。あるいは、上記無線品質情報として、CQIとは別の指標、例えば、CPICH Ec／N0やCPICH RSCPを用いてもよい。また、上記当該TTIにおいて利用可能な無線リソースとは、例えば、コードリソースや電力リソース、ハードウェアリソースのことである。さらに、上記当該TTIにおける共有チャネルの送信フォーマットとは、例えば、データサイズ（トランスポートブロックサイズ）や変調方式、HS-PDSCHのコード数やHS-PDSCHの送信電力等を指す。
【００５１】
また、MAC-hsレイヤ処理部2032は、上記共有チャネルの送信フォーマットに関する情報と、バッファ部2031から受け取った、当該TTIにおいて送信されるパケットデータとをレイヤ1処理部2033に送信する。
【００５２】
さらに、MAC-hsレイヤ処理部2032は、各移動局nに関するプライオリティキューnごとの共有チャネルの割り当て頻度、すなわち、パケットの送信頻度freqnを算出する。
【００５３】
尚、上記パケットの送信頻度freqnの計算は、例えば、
freqn (t)=τ・freqn (t-1)+(1-τ)・Allocatedn
Allocatedn：TTI においてプライオリティキューnに対して共有チャネルを割り当てた場合に1、割り当てなかった場合に0となる値 
τ：パラメータとして与えられる忘却係数
に基づいて行われる。このとき、τは、パケットの送信頻度を測定する測定区間の大小を制御するパラメータであり、τを1に近づけた場合には、上記パケットの割り当て頻度の測定区間を大きくすることができ、より長い時間間隔を考慮したパケットの送信頻度の算出を行うことが可能である。
【００５４】
また、上記パケットの送信頻度freqn の計算は、例えば、当該TTItにおけるパケットの送信頻度をfreqn (t)として、
【数１】
2008078788.tif 000003
【００５５】
Allocatedn (x)：TTIxにおいてプライオリティキューnに対して共有チャネルを割り当てた場合に1、割り当てなかった場合に0となる値  
T1：パラメータとして与えられる平均化区間
に基づいて行われる。このとき、T1は、パケットの割り当て頻度を測定する測定区間の大小を制御するパラメータであり、T1を大きく設定した場合には、上記パケットの割り当て頻度の測定区間を大きくすることができ、より長い時間間隔を考慮したパケットの割り当て頻度の算出を行うことが可能である。
【００５６】
またさらに、MAC-hsレイヤ処理部2032は、各移動局nに関するプライオリティキューnごとの、無線区間において送信可能な伝送速度
【数２】
2008078788.tif 000004
【００５７】
を算出する。
【００５８】
ここで、当該TTIにおける、上記プライオリティキューnごとの無線区間において送信可能な伝送速度
【数３】
2008078788.tif 000005
【００５９】
の計算は、例えば、
【数４】
2008078788.tif 000006
【００６０】
(0≦δ≦1)
を用いて行われる。ここで、
【数５】
2008078788.tif 000007
【００６１】
は、移動局ｎに関する無線品質情報（CQI）と利用可能な無線リソースから算出される瞬時の伝送速度である。また、
【数６】
2008078788.tif 000008
【００６２】
は、当該TTIにおける上記プライオリティキューnごとの無線区間において送信可能な平均の伝送速度を示し、
【数７】
2008078788.tif 000009
【００６３】
は、当該TTIより1つ前のTTIにおける上記プライオリティキューnごとの無線区間において送信可能な平均の伝送速度を示す。
【００６４】
また、δは平均化のための忘却係数である。δの値を制御することにより、上記プライオリティキューnごとの無線区間において送信可能な平均の伝送速度
【数８】
2008078788.tif 000010
【００６５】
を算出するための平均化区間を制御することが可能となる。例えば、δの値として、1に近い値を設定した場合には、長く平均化した、無線区間において送信可能な伝送速度を算出することができ、また、δの値を0にした場合には、無線区間において送信可能な伝送速度の瞬時値を算出することができる。
【００６６】
例えば、上記
【数９】
2008078788.tif 000011
【００６７】
は、上記無線品質情報CQIと、共有チャネルHS-PDSCHに割当可能な送信電力と、共有チャネルHS-PDSCHに割当可能なコード数とから、所定の誤り率で送信可能と推定されるデータサイズのことを表す。例えば、上記所定の誤り率を10％とした場合、基地局が、当該TTIにおいて、移動局nに対して伝送速度
【数１０】
2008078788.tif 000012
【００６８】
に相当するデータサイズのパケットデータを送信した時の誤り率はおよそ10％になる。
【００６９】
尚、上述した上記プライオリティキューnごとの無線区間において送信可能な伝送速度
【数１１】
2008078788.tif 000013
【００７０】
の計算は、共有チャネルの割当頻度は考慮されず、全てのTTIにおいて移動局nに対して共有チャネルが割り当てられたと仮定して行われる。言い換えれば、上記無線区間において送信可能な伝送速度
【数１２】
2008078788.tif 000014
【００７１】
は、基地局と移動局nとの間の下りリンクにおける無線状態、あるいは、無線品質に相当する値である。
【００７２】
MAC-hsレイヤ処理部2032は、上記各移動局nに関するプライオリティキューnごとの共有チャネルの割り当て頻度、すなわち、パケットの送信頻度freqn、及び、各移動局nに関するプライオリティキューnごとの無線区間において送信可能な伝送速度
【数１３】
2008078788.tif 000015
【００７３】
を、新規データ送出量制御情報算出部2034に送信する。
【００７４】
レイヤ1処理部2033は、MAC-hsレイヤ処理部2032と、アンテナとに接続される。
【００７５】
レイヤ1処理部2033は、MAC-hsレイヤ処理部2032より、当該TTIにおいて送信される共有チャネルの送信フォーマットに関する情報と、上記共有チャネルにマッピングされるパケットデータを受け取り、上記送信フォーマットに関する情報に基づき、当該TTIにおいて無線区間に送出する共有チャネルの送信処理を行う。具体的には、上記共有チャネルにマッピングされるパケットデータのターボ符号化や拡散処理、無線周波数帯に変換する周波数変換処理や増幅処理等を行う。そして、上記共有チャネルの信号は、上記送信処理が行われた後に、アンテナを介して、無線区間に送信される。
【００７６】
また、レイヤ1処理部2033は、各移動局nから上りリンクの制御チャネル（HS-DPCCH）にマッピングされて報告される下りリンクの無線品質情報（CQI）を受信し、復調・復号する機能も持つ。上記各移動局nに関する下りリンクの無線品質情報は、MAC-hsレイヤ処理部2032に送信される。
【００７７】
さらに、レイヤ1処理部2033は、各移動局nから上りリンクの制御チャネル（HS-DPCCH）にマッピングされて報告される下りリンクの共有チャネルの送達確認情報（ACK／NACK）を受信し、復調・復号する機能も持つ。上記下りリンクの共有チャネルの送達確認情報は、MAC-hsレイヤ処理部2032に送信される。
【００７８】
新規データ送出量制御情報算出部2034は、MAC-hsレイヤ処理部2032と、サブレイヤ処理部202とに接続される。
【００７９】
新規データ送出量制御情報算出部2034は、MAC-hsレイヤ処理部2032より各移動局nに関するプライオリティキューnごとの共有チャネルの割り当て頻度、すなわち、パケットの送信頻度freqn、及び、各移動局nに関するプライオリティキューnごとの無線区間において送信可能な伝送速度
【数１４】
2008078788.tif 000016
【００８０】
を受け取る。
【００８１】
そして、新規データ送出量制御情報算出部2034は、新規に通信を開始する移動局Aに関する、制御局から基地局へ送出されるパケットデータの送出量の初期値を決定する新規送出量制御情報、すなわち、Initial_CAを算出する。
【００８２】
例えば、新規データ送出量制御情報算出部2034は、移動局AがCapability上受信可能な最大受信レートをMAX_rateとした場合に、以下のような式を用いて、上記新規送出量制御情報を算出してもよい。
【００８３】
Initial_CA＝MAX_rate×Freq
（但し、
【数１５】
2008078788.tif 000017
【００８４】
とする）
ここで、Freqは、各移動局nに関するプライオリティキューnごとの共有チャネルの割り当て頻度、すなわち、パケットの送信頻度を移動局の間で平均化した値であり、瞬時の値を用いてもよく、あるいは、所定の時間で平均化した値を用いてもよい
また、例えば、新規データ送出量制御情報算出部2034は、以下のような式を用いて、上記新規送出量制御情報を算出してもよい。
【００８５】
Initial_CA＝MAX_rate×Freq×α
ここで、αは、任意の係数であり、例えば、0.8や1.0、1.2といった値を設定することができる。係数αを用いることにより、データ送出量の初期値として、大きめの値を設定したり、あるいは、小さめの値を設定したりすることが可能となる。
【００８６】
尚、上記Freqは、前記移動局nに関するプライオリティキューn内のパケットデータに係るサービス種別や契約種別、受信器種別（RAKE受信器、等化器や受信ダイバーシチ、干渉キャンセラや、その他のUEのCapability（受信可能な変調方式や受信可能なコード数、ビット数等によってクラス分けされた指標）等）、プライオリティクラス種別毎に計算されてもよい。例えば、2つのプライオリティクラスが存在し、かつ、プライオリティクラス毎にFreqを計算したとすると、上記2つのプライオリティクラスそれぞれに関して、それぞれのプライオリティクラスに属する移動機を母体として、Freqの算出を行う。
【００８７】
また、上記αは、前記移動局nに関するプライオリティキューn内のパケットデータに係るサービス種別や契約種別、受信器種別（RAKE受信器、等化器や受信ダイバーシチ、干渉キャンセラや、その他のUEのCapability（受信可能な変調方式や受信可能なコード数、ビット数等によってクラス分けされた指標）等）、プライオリティクラス種別毎に設定されてもよい。
【００８８】
例えば、サービス種別は、下りリンクのパケットデータを伝送するサービスの種別を示すものであり、例えば、VoIPサービスや音声サービスやストリーミングサービスやFTPサービス等を含む。また、契約種別は、下りリンクのパケットデータの宛先移動局のユーザが加入している契約の種別を示すものであり、例えば、Low Class契約やHigh Class契約等を含む。また、端末種別は、下りリンクのパケットデータの宛先移動局の性能をクラス分けするものであり、移動局の識別情報に基づくクラスや、RAKE受信機能や等化器や受信ダイバーシチや干渉キャンセラ等の有無又は種別や、受信可能な変調方式やコード数やビット数等の端末能力等を含む。さらには、優先度クラスは、下りリンクのパケットデータの送信に関わる優先度を示すものであり、例えば、第1の優先度の下りリンクのパケットデータは、第2の優先度の下りリンクのパケットデータよりも優先的に送信される。
【００８９】
また、例えば、新規データ送出量制御情報算出部2034は、以下のような式を用いて、上記新規送出量制御情報を算出してもよい。
【００９０】
Initial_CA＝MAX_rate×α／Number
尚、α=１とした場合には、Initial_CA＝MAX_rate／Numberとなり、αを考慮しない場合と同じ式となる。
【００９１】
ここで、Numberは、無線回線経由で基地局20と通信を行っている移動局の数とする。ここで、無線回線経由で基地局20と通信を行っている移動局の数とは、基地局20をServing cellとして通信を行っている移動局の数でもよいし、基地局20をServing cellとして通信を行っていて、かつ、バッファ部2031内のプライオリティキューにデータが存在する移動局の数でもよい。
【００９２】
ここで、一般の通信においては、常にデータを送受信しているわけではない。例えば、Web browsingにおけるReading timeなど、基地局と移動局が接続されている状態であっても、実際のデータの送受信を行っていない時間帯が存在する。この場合、「基地局20をServing cellとして通信を行っていて、かつ、バッファ部2031内のプライオリティキューにデータが存在する移動局の数」が、実際のデータの送受信を行っている移動局の数となる。よって、「無線回線経由で基地局20と通信を行っている移動局の数」を、「基地局20をServing cellとして通信を行っていて、かつ、バッファ部2031内のプライオリティキューにデータが存在する移動局の数」とすることにより、より精度良く、Initial_CAの算出を行うことが可能となる。一方、「無線回線経由で基地局20と通信を行っている移動局の数」を、「基地局20をServing cellとして通信を行っている移動局の数」とした場合には、より簡易に無線回線経由で基地局20と通信を行っている移動局の数を算出することが可能となり、装置の複雑性を低減することが可能となる。尚、いずれの場合においても、無線回線経由で基地局20と通信を行っている移動局の数は、瞬時値を用いてもよく、あるいは、所定の平均化区間で平均したものを用いてもよい。
【００９３】
また、Numberは、上記Freqと同様に、前記移動局nに関するプライオリティキューn内のパケットデータに係るサービス種別や契約種別、受信器種別（RAKE受信器、等化器や受信ダイバーシチ、干渉キャンセラや、その他のUEのCapability（受信可能な変調方式や受信可能なコード数、ビット数等によってクラス分けされた指標）等）、プライオリティクラス種別毎に計算されてもよい。
【００９４】
尚、上述した例においては、MAX_rateを、移動局AがCapability上受信可能な最大受信レートとしたが、代わりに、移動局AがCapability上受信可能な最大受信レートと、契約内容などから算出されるサービス上の最大受信レートと、有線区間において実現可能な最大の受信レートを考慮した値としてもよい。例えば、MAX_rateを、移動局AがCapability上受信可能な最大受信レートと、契約内容などから算出されるサービス上の最大受信レートと、有線区間において実現可能な最大の受信レートの最小値としてもよい。
【００９５】
また、例えば、新規データ送出量制御情報算出部2034は、以下のような式を用いて、上記新規送出量制御情報を算出してもよい。
【００９６】
Initial_CA＝Cell_throughput×Freq×α
ここで、Cell_throughputとは、移動局nのユーザスループットを足し合わせたスループットであり、MAC-hsレイヤのスループットであってもよいし、TCP layerでのスループットであってもよい。例えば、移動局nに関するMAC-hsレイヤのスループットとは、1秒間に、移動局nに対して共有チャネルを用いて送信したデータの内、送達確認情報としてACKを受信したデータのサイズのことをさす。また、新規データ送出量制御情報算出部2034は、以下のような式を用いて、上記新規送出量制御情報を算出してもよい。
【００９７】
Initial_CA＝Cell_throughput×α／Number
尚、上述した例において、Cell_throughputは、実際の通信の伝送速度、すなわち、スループットとしたが、代わりに、移動局nに関する無線区間において送信可能な伝送速度
【数１６】
2008078788.tif 000018
【００９８】
のユーザ間の平均値を用いてもよい。すなわち、
【数１７】
2008078788.tif 000019
【００９９】
となる。
【０１００】
そして、新規データ送出量制御情報算出部2034は、上記新規に通信を開始する移動局Aに関する、制御局から基地局へ送出されるパケットデータの送出量の初期値を決定する新規送出量制御情報、すなわち、Initial_CAを、サブレイヤ処理部202に通知する。ここで、新規データ送出量制御情報算出部2034は、上記新規送出量制御情報Initial_CAを、1秒あたりのデータ量、すなわち、伝送速度として算出している場合には、上記Initial_CAを、HS-DSCH Initial Capacity Allocationの情報要素である、Maximum MAC-d PDU Size、 HS-DSCH Initial Window Sizeに読み替えて、通知してもよい。あるいは、新規データ送出量制御情報算出部2034は、上記新規送出量制御情報Initial_CAを、1秒あたりのデータ量、すなわち、伝送速度として算出している場合には、上記Initial_CAを、MAC-d PDU Sizeと、その数（Credit数）と、Interval (上記MAC-d PDUを送信する間隔)とに読み替えて、通知してもよい。
【０１０１】
図6に、図1に示す制御局30、31の構成例を示す機能ブロック図を示す。
【０１０２】
図6に示すように、制御局は、基地局と通信を行う有線物理レイヤ処理部301と、基地局と制御情報に関する通信を行うサブレイヤ処理部302と、移動局と通信を行うデータリンクレイヤ処理部303と、移動局と幹線網間の信号中継処理やバッファリングなどを行う信号処理部304と、幹線網と通信を行う幹線網レイヤ処理部305とを備えている。
【０１０３】
有線物理レイヤ処理部301は、基地局と通信を行うものであり、本実施形態では、有線リンクを介して基地局に接続されている。
【０１０４】
サブレイヤ処理部302は、基地局と制御情報に関する通信を行うものである。一般に、基地局内のサブレイヤ処理部202より通知される、各移動局nのプライオリティキューnに関する、制御局から基地局へ送出されるパケットデータの送出量を制御する送出量制御情報を処理する。具体的には、サブレイヤ処理部302は、基地局内のサブレイヤ処理部202から通知された送出量制御情報、すなわち、移動局n宛てのデータを送出する際のデータ送出レートを示す情報（Capacity Allocation）を受信し、上記移動局n宛てのデータを送出する際のデータ送出レートを示す情報（Capacity Allocation）に基づいて、制御局から基地局へ送出されるパケットデータの送出レート、すなわち、データ送出レートを制御する。
【０１０５】
さらに、本実施形態では、サブレイヤ処理部302（決定部）は、新規に通信を開始する移動局Aに関する、制御局から基地局へ送出されるパケットデータの送出量の初期値を決定する新規送出量制御情報を処理する。具体的には、サブレイヤ処理部302は、移動局Aに関するHS-DSCH Initial Capacity Allocationを受信し、制御局から基地局へ送出されるパケットデータの初期の送出レートを制御する。例えば、上記HS-DSCH Initial Capacity AllocationにおけるMaximum MAC-d PDU SizeとHS-DSCH Initial Window Sizeとに基づいて、制御局から基地局へ送出されるパケットデータの初期の送出レートを制御する。
【０１０６】
データリンクレイヤ処理部303は、移動局nと通信を行うものであり、信号処理部304は、移動局nと幹線網との間に送受される音声信号や、パケットなどのデータを中継処理するものである。また、幹線網レイヤ処理部305は、幹線網と通信を行うものである。
【０１０７】
（データ流入量制御方法）
次に、本発明に係るデータ流入量制御方法の動作について、図７に示すフローチャートを用いて説明する。
【０１０８】
ステップS101において、無線物理レイヤ処理部203の新規データ送出量制御情報算出部2034は、新規に通信を開始する移動局AがCapability上受信可能な最大受信レートMAX_rateを取得する。
【０１０９】
ステップS102において、無線物理レイヤ処理部203の新規データ送出量制御情報算出部2034は、各移動局nに関するプライオリティキューnごとの共有チャネルの割り当て頻度、すなわち、パケットの送信頻度を移動局の間で平均化した値Freqを算出する：
【数１８】
2008078788.tif 000020
【０１１０】
ステップS103において、無線物理レイヤ処理部203の新規データ送出量制御情報算出部2034は、移動局Aに関する新規送出量制御情報Initial_CAを算出する：
Initial_CA＝MAX_rate×Freq×α
ステップS104において、基地局のサブレイヤ処理部202は、移動局Aに関する、制御局から基地局へ送出されるパケットデータの送出量の初期値を制御する新規送出量制御情報（HS-DSCH Initial Capacity Allocation）を制御局に通知する。
【０１１１】
ステップS105において、制御局のサブレイヤ処理部302は、移動局Aに関する、制御局から基地局へ送出されるパケットデータの送出量の初期値を制御する新規送出量制御情報（HS-DSCH Initial Capacity Allocation）に基づき、制御局から基地局へのパケットデータの送出レートの初期値を制御する。
【０１１２】
尚、上述した例においては、MAX_rateを、移動局AがCapability上受信可能な最大受信レートとしたが、代わりに、移動局AがCapability上受信可能な最大受信レートと、契約内容などから算出されるサービス上の最大受信レートと、有線区間において実現可能な最大の受信レートを考慮した値としてもよい。例えば、MAX_rateを、移動局AがCapability上受信可能な最大受信レートと、契約内容などから算出されるサービス上の最大受信レートと、有線区間において実現可能な最大の受信レートの最小値としてもよい。
【０１１３】
ここで、上述した例では、ステップS101において、新規に通信を開始する移動局AがCapability上受信可能な最大受信レートMAX_rateを取得し、ステップS103において、上記MAX_rateを、移動局Aに関する新規送出量制御情報の算出に用いたが、代わりに、ステップS101において、Cell_throughputを算出し、ステップS103において、上記MAX_rateを、上記Cell_throughputに置き換えて、移動局Aに関する新規送出量制御情報を算出してもよい。ここで、Cell_throughputとは、移動局nのユーザスループットを足し合わせたスループットであり、MAC-hsレイヤのスループットであってもよいし、TCP layerでのスループットであってもよい。例えば、移動局nに関するMAC-hsレイヤのスループットとは、1秒間に、移動局nに対して共有チャネルを用いて送信したデータの内、送達確認情報としてACKを受信したデータのサイズのことをさす。あるいは、Cell_throughputは、実際の通信の伝送速度、すなわち、スループットではなく、移動局nに関する無線区間において送信可能な伝送速度
【数１９】
2008078788.tif 000021
【０１１４】
のユーザ間の平均値を用いてもよい。すなわち、
【数２０】
2008078788.tif 000022
【０１１５】
としてもよい。
【０１１６】
あるいは、上述した例では、ステップS102において、移動局nに関するパケットの送信頻度を移動局の間で平均化した値Freqを算出し、上記Freqを、移動局Aに関する新規送出量制御情報の算出に用いたが、代わりに、ステップS101において、Numberを算出し、ステップS103において、上記Freqを、1／Numberに置き換えて、移動局Aに関する新規送出量制御情報を算出してもよい。ここで、Numberは、無線回線経由で基地局20と通信を行っている移動局の数とする。ここで、無線回線経由で基地局20と通信を行っている移動局の数とは、基地局20をServing cellとして通信を行っている移動局の数でもよいし、基地局20をServing cellとして通信を行っていて、かつ、バッファ部2031内のプライオリティキューにデータが存在する移動局の数でもよい。
【０１１７】
ここで、一般の通信においては、常にデータを送受信しているわけではない。例えば、Web browsingにおけるReading timeなど、基地局と移動局が接続されている状態であっても、実際のデータの送受信を行っていない時間帯が存在する。この場合、「基地局20をServing cellとして通信を行っていて、かつ、バッファ部2031内のプライオリティキューにデータが存在する移動局の数」が、実際のデータの送受信を行っている移動局の数となる。よって、「無線回線経由で基地局20と通信を行っている移動局の数」を、「基地局20をServing cellとして通信を行っていて、かつ、バッファ部2031内のプライオリティキューにデータが存在する移動局の数」とすることにより、より精度良く、Initial_CAの算出を行うことが可能となる。一方、「無線回線経由で基地局20と通信を行っている移動局の数」を、「基地局20をServing cellとして通信を行っている移動局の数」とした場合には、より簡易に無線回線経由で基地局20と通信を行っている移動局の数を算出することが可能となり、装置の複雑性を低減することが可能となる。尚、いずれの場合においても、無線回線経由で基地局20と通信を行っている移動局の数は、瞬時値を用いてもよく、あるいは、所定の平均化区間で平均したものを用いてもよい。
【０１１８】
（作用及び効果）
以上説明したような本実施形態によれば、移動局Aに関する、制御局から基地局へ送出されるパケットデータの送出量の初期値を適切に決定することが可能となる。また、通信開始時から、制御局から基地局へのパケットの送出量を適切に制御することが可能となり、バッファ枯渇による無線リソースの使用効率の劣化、及び、バッファ溢れによる信号破棄に起因する再送制御等の発生によるシステムの伝送効率の劣化を防ぐことが可能となる。
【０１１９】
例えば、Freqや1／Numberは、移動局Aが通信を行った場合の共有チャネルの割当頻度の予想値であり、移動局AがCapability上受信可能な最大の受信レートと掛け合わせることにより、適切な制御局から基地局へ送出されるパケットデータの送出量の初期値を決定することができる。
【０１２０】
あるいは、Cell_throughputは、当該基地局とすでに通信を行っている移動局のユーザスループットの和であり、上記Cell_throughputと、Freqや1／Numberを掛け合わせることにより、適切な制御局から基地局へ送出されるパケットデータの送出量の初期値を決定することができる。
【０１２１】
（その他の実施の形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【０１２２】
例えば、無線物理レイヤ処理部203のMAC-hsレイヤ処理部2032及び新規データ送出量制御情報算出部2034は、例えば、CPUやデジタルシグナルプロセッサ（DSP）、或いはFPGA等のプログラムの書き換えが可能なプログラマブルデバイスで構成され、所定のメモリ領域に上述した評価関数のプログラムが記憶され、パラメータ（δ、τ、α）をダウンロードして書き換える構成がとられる。この時、上記パラメータ（δ、τ、α）を基地局の上位ノードからダウンロードしてもよいし、MAC-hsレイヤ処理部2032及び新規データ送出量制御情報算出部2034に端末I／F（外部インターフェース機能）を設け、端末から直接上記パラメータ（δ、τ、α）を読み込ませるような形態であってもよい。
【０１２３】
また、上述した無線物理レイヤ処理部203の各機能ブロックは、ハードウェアで分割される場合もあるし、プロセッサ上のプログラムでソフトウェアとして分割されている場合もありうる。
【０１２４】
また、上記実施例は、3GPPにおける高速パケット伝送方式HSDPAに関して記述したが、本発明は上記HSDPAに限定されるものではなく、その他の、移動通信システムにおける下りリンクのパケットデータのデータ流入量制御（フロー制御）を行う高速パケット伝送方式に適用することが可能である。例えば、3GPP2におけるcdma2000 1xEV-DOや、3GPPにおけるTDD方式やLong Term Evolution（Super 3G）における高速パケット伝送方式など、がその他の高速パケット伝送方式としてあげられる。
【０１２５】
また、上記実施形態において、データ流入量制御装置として制御局を用いて説明をしたが、データ流入量制御装置は、基地局であってもよく、制御局よりも上位の装置であってもよい。
【０１２６】
また、上述した実施例における「新規に通信を開始する」とは、実際に通信を開始する場合であってもよく、あるいは、セルチェンジ（ハンドオーバ）により、当該基地局と新規に通信を開始する場合であってもよい。
【０１２７】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【０１２８】
【図１】本実施形態に係る移動通信システムの全体構成図である。
【図２】図１を簡易化した構成図である。
【図３】本実施形態に係る移動通信システムにおけるプロトコルスタックを示す図である。
【図４】本実施形態に係る基地局の機能ブロック図である。
【図５】図４の無線物理レイヤ処理部の詳細を示す機能ブロック図である。
【図６】本実施形態に係る制御局の機能ブロック図である。
【図７】本実施形態に係るデータ流入量制御方法を示すフローチャートである。
【符号の説明】
【０１２９】
10、11、12…移動局
20、21、22、23、24…基地局
2031…制御局
40…幹線網
50…セル
201…有線物理レイヤ処理部
202…サブレイヤ処理部
203…無線物理レイヤ処理部
201…有線物理レイヤ処理部
202…サブレイヤ処理部
203…データリンクレイヤ処理部
304…信号処理部
305…幹線網レイヤ処理部
2031…バッファ部
2032…MAC-hsレイヤ処理部
2033…レイヤ1処理部
2034…新規データ送出量制御情報算出部
【図１】
2008078788.tif 000023
【図２】
2008078788.tif 000024
【図３】
2008078788.tif 000025
【図４】
2008078788.tif 000026
【図５】
2008078788.tif 000027
【図６】
2008078788.tif 000028
【図７】
2008078788.tif 000029